(57)【要約】【課題】キッチンユニット部とダイニングテーブルユニット部とを一体として配設させることにより、集まりの中心として、その周囲の床空間部分を、比較的多人数の集まりにも便利な、まとまりの良い部屋空間とした。【解決手段】リビング・ダイニング・キッチン室１を構成する連続する床面の中間部分に、キッチンユニット部２とダイニングテーブルユニット部３とを、平面視略長方形状に連続して相互に固定された状態で設け、その周囲である、前部と後部及び側端部は、連続する床面の側に開放されて人が移動可能な床空間とした。【選択図】      図１
0003173350.tif 000002
【実用新案登録請求の範囲】
【請求項１】
リビング室空間とダイニング室空間とキッチン室空間とが、連続した室空間として一部屋とされたリビング・ダイニング・キッチン室を有するマンションタイプの集合住宅の部屋構造において、
前記リビング・ダイニング・キッチン室を構成する連続する床面の中間部分に、キッチンユニット部とダイニングテーブルユニット部とが、平面視略長方形状に連続して相互に固定された状態で設けられ、キッチンユニット部の一側部は、室の壁面に接合されているとともに、キッチンユニット部及びダイニングテーブルユニット部の他の周囲は、前記連続する床面の側に開放されて移動可能な床空間とされていることを特徴とする集合住宅の部屋構造。
【請求項２】
リビング室空間とダイニング室空間とキッチン室空間とが、連続した室空間として一部屋とされたリビング・ダイニング・キッチン室を有するマンションタイプの集合住宅の部屋構造において、
前記リビング・ダイニング・キッチン室を構成する連続する床面の中間部分に、キッチンユニット部とダイニングテーブルユニット部とが、平面視略長方形状に連続して相互に固定された状態で設けられ、ダイニングテーブルユニット部はキッチンユニット部の背部と側部に連続して相互に固定された状態で設けられ、キッチンユニット部の一側部は、室の壁面に接合されているとともに、キッチンユニット部及びダイニングテーブルユニット部の他の周囲は、前記連続する床面の側に開放されて移動可能な床空間とされていることを特徴とする集合住宅の部屋構造。
【請求項３】
前記キッチンユニット部は、その上面が前記ダイニングテーブルユニット部の上面よりも高所に形成され、ダイニングテーブルユニット部は、そのテーブル天板の内周壁面が、キッチンユニット部の対向する外壁部分に接合固定されたカウンターテーブル構造とされていることを特徴とする請求項１又は２に記載の集合住宅の部屋構造。
【請求項４】
前記リビング・ダイニング・キッチン室の、前記キッチンユニット部の一側部が接合された壁面の、前後の部分には、隣接する他の室との間の前後の出入り口が設けられていることを特徴とする請求項１乃至３のいずれか１項に記載の集合住宅の部屋構造。
【考案の詳細な説明】
【技術分野】
【０００１】
本考案は、リビング室空間とダイニング室空間とキッチン室空間とが、連続した室空間として一部屋とされたリビング・ダイニング・キッチン室を有するマンションタイプの集合住宅の部屋構造に関する。
本考案に係る集合住宅の部屋構造が適応されるマンションは、高層マンションのみならず、エレベーターの無い２、３階建ての低層マンションにも適応される。
【背景技術】
【０００２】
一般に、マンション内の居住空間は、仕切り壁等により、洋室、和室の他、リビング室、ダイニング室、キッチン室等と、比較的小面積の室空間に区画されているものが多い。このため、３ＬＤＫタイプ等の全体として比較的居住空間に余裕のあるマンションであっても、家族の多い居住者が一室に集まる場合、或いは、ホームパーティー等比較的大人数で集まる場合には、不便である。
【０００３】
また、特許文献１に示されるワンルームタイプマンションの部屋構造では、キッチンユニット部及びカウンターが壁際に沿って連続して配設されている。
【先行技術文献】
【特許文献】
【０００４】
【特許文献１】特開２００９−１１４７６８号公報
【考案の概要】
【考案が解決しようとする課題】
【０００５】
本考案は、以上の点に鑑み、マンションタイプの集合住宅の部屋構造において、リビング室空間とダイニング室空間とキッチン室空間とを連続した室空間として一部屋の大空間として確保し、その大空間の床面の中間部分に、キッチンユニット部とダイニングテーブルユニット部とを一体として配設させることにより、集まりの中心として、その周囲の床空間部分を、比較的多人数の集まりにも便利な、まとまりの良い部屋空間としたことを目的としている。
【課題を解決するための手段】
【０００６】
前記目的を達成するための手段を、図の実施形態を参照して説明する。
本考案では、リビング室空間とダイニング室空間とキッチン室空間とが、連続した室空間として一部屋とされたリビング・ダイニング・キッチン室１を有するマンションタイプの集合住宅の部屋構造において、前記リビング・ダイニング・キッチン室１を構成する連続する床面の中間部分に、キッチンユニット部２とダイニングテーブルユニット部３とが、平面視略長方形状に連続して相互に固定された状態で設けられ、キッチンユニット部２の一側部は、室の仕切壁４の面に接合されているとともに、キッチンユニット部２及びダイニングテーブルユニット部３の他の周囲である、前部と後部及び側端部は、前記連続する床面の側に開放されて人が移動可能な床空間とされていることを特徴とする。
【０００７】
請求項２では、上記の構成において、ダイニングテーブルユニット部３は、キッチンユニット部２の後部と側端部に、カウンターテーブル式に、平面視略Ｌ形に連続して相互に固定された状態で設けられていることを特徴とする。
【０００８】
請求項３に示すように、本考案では、上記部屋構造において、前記キッチンユニット部２は、その上面が前記ダイニングテーブルユニット部３の上面よりも高所に形成され、ダイニングテーブルユニット部３は、そのテーブル天板５の内周壁面が、キッチンユニット部２の対向する外壁部に接合固定されたカウンターテーブル構造とすることが出来る。
【０００９】
請求項４に示すように、本考案では、上記部屋構造において、前記リビング・ダイニング・キッチン室１の、前記キッチンユニット部２の一側部が接合された壁面の、前後の部分に、隣接する他の室との間の前後の出入り口１０，１１が設けられていることが望ましい。
【００１０】
上記ダイニングテーブルユニット部３を、キッチンユニット部２とは独立したダイニングテーブル構造とし、キッチンユニット部２との対向側端部同士を互いに結合固定させて、全体として平面視略長方形状に連続して相互に固定させるようにしても良い。
【考案の効果】
【００１１】
本考案では、リビング室空間とダイニング室空間とキッチン室空間とを連続したリビング・ダイニング・キッチン室として一部屋の大空間として確保し、その大空間の床面の中間部分に、キッチンユニット部とダイニングテーブルユニット部とを、平面視略長方形状に連続して一体として配設させるようにしたので、これを、家族やホームパーティー等集まりの中心として、有効に活用できる。
【００１２】
平面視略長方形状に連続して一体としたキッチンユニット部とダイニングテーブルユニット部の前後の両側部分の床空間が通路となり、その前後の通路部分の端部に、隣接する他の室との間の前後の出入り口を設けることにより、隣接する室への出入りも容易で、上記一部屋の大空間を無駄なく広く有効に使うことができる。
【００１３】
請求項２又は３のように、リビング・ダイニング・キッチン室の中間部分に、キッチンユニット部を配置するとともに、その後部と側端部に連続してカウンターテーブル式にダイニングテーブルユニット部を配置することにより、料理などを家族団らんの中心に据えることができる。
このように、本考案では、大空間とした部屋の中心と、家族生活の中心とが一体となるという、優れた効果がある。
【図面の簡単な説明】
【００１４】
【図１】本考案にかかる集合住宅の部屋構造の第１実施形態の平面図である。
【図２】同第１実施形態の要部の斜視図である。
【図３】本考案にかかる集合住宅の部屋構造の第２実施形態の平面図である。
【考案を実施するための形態】
【００１５】
以下、本考案を適用した実施の形態例を図１〜図３を参照して説明する。
図１、図２は、本考案の第１実施形態を示すものである。
図１は、本考案の第１実施形態に係るマンションの一住戸の部屋構造を示している。この部屋構造は、矩形の平面形状を有し、左右両外壁の間に、この実施例では、３ＬＤＫタイプの部屋割を有している。
【００１６】
この、一住戸の部屋構造には、リビング室空間とダイニング室空間とキッチン室空間とが、連続した室空間として一部屋とされたリビング・ダイニング・キッチン室１を有している。
【００１７】
前記リビング・ダイニング・キッチン室１を構成する連続する床面の中間部分に、キッチンユニット部２とダイニングテーブルユニット部３とが、平面視略長方形状に連続して相互に固定された状態で設けられている。キッチンユニット部２とダイニングテーブルユニット部３とは、対向する側端部同士が、相互に固定されて、平面視略長方形状に連続している。
【００１８】
キッチンユニット部２の一側部は、室の仕切壁４の面に接合されているとともに、キッチンユニット部２及びダイニングテーブルユニット部３の他の周囲である、前部と後部及び側端部は、前記連続する床面の側に開放されて人が移動又は集合可能な床空間とされている。ダイニングテーブルユニット部３の長さは、図１に示すように、その前部と後部に２個の腰掛け椅子１３が並設され、側端部には、１個の椅子１３が設置される長さとすれば良い。
【００１９】
キッチンユニット部２は、その上面に、シンク７とコンロ８とが設けられ、コンロ８の上部には、排気フード９が設けられている。
【００２０】
ダイニングテーブルユニット部３は、テーブル天板５と脚板６とが略逆Ｌ形に結合された構造であり、テーブル天板５の端部が、キッチンユニット部２の側端部の外壁に接合固定された状態で設けられている。キッチンユニット部２とダイニングテーブルユニット部３とは、平面視略長方形状に連続して相互に固定され、キッチンユニット部２の上面はダイニングテーブルユニット部３のテーブル天板５の上面よりも上方に、段差が設けられた状態で固定されている。
【００２１】
キッチンユニット部２とダイニングテーブルユニット部３との間には、キッチンユニット部２の側端面を囲むように、隔壁が設けられていても良い。ダイニングテーブルユニット部３は、それ自体独立したダイニングテーブル構造であっても良い。また、ダイニングテーブルユニット部３は、そのテーブル天板の内端部が、キッチンユニット部２の外壁又は上記隔壁に固定された、カウンターテーブル構造であっても良い。
【００２２】
上記室の仕切壁４の面に接合されたキッチンユニット部２の一側端部の、前後の仕切壁の部分には、リビング・ダイニング・キッチン室１と隣接する他の室との間との前後の出入り口１０、１１が設けられ、一方の出入り口１０は、引き戸により、他方の出入り口１１は、開き戸により開閉自在とされている。
この出入り口１０，１１を通り、キッチンユニット部２及びダイニングテーブルユニット部３の前後及びダイニングテーブルユニット部３の側端部を囲む床面は、上述したように人が移動又は集合可能な床空間とされている。
【００２３】
この、一住戸の部屋構造には、上記リビング・ダイニング・キッチン室１の他、玄関１４、浴室１５、トイレ１６、洗面化粧室１７等が設けられているが、その構成と機能は、従来のものと同様である。
【００２４】
図３は、本考案の第２実施形態を示すものである。
第２実施態様では、ダイニングテーブルユニット部３は、キッチンユニット部２の後部と側端部に、カウンターテーブル式に、平面視略Ｌ形に連続して相互に固定された状態で設けられている。
【００２５】
キッチンユニット部２の側端部と背部には、キッチンユニット部２の外壁の沿って隔壁１２が設けられている。ダイニングテーブルユニット部３のテーブル天板５は、隔壁１２の外壁にカウンターテーブル式に、平面視略Ｌ形に連続して相互に固定された状態で設けられている。隔壁１２の上面は、キッチンユニット部２の上面及びテーブル天板５の上面よりも高く形成されている。
【００２６】
第２実施形態のその他の構成及び作用は、上記第１実施形態と同様であるので、共通する箇所には共通する符号を付して、その詳細な説明は省略する。
【符号の説明】
【００２７】
１  リビング・ダイニング・キッチン室
２  キッチンユニット部
３  ダイニングテーブルユニット部
４  仕切壁
５  テーブル天板
６  脚板
７  シンク
８  コンロ
９  排気フード
１０，１１  出入り口
１２  隔壁
１３  椅子
１４  玄関
１５  浴室
１６  トイレ
１７  洗面化粧室
【図１】
0003173350.tif 000003
【図２】
0003173350.tif 000004
【図３】
0003173350.tif 000005